(57)【要約】【課題】設置面への設置作業性を向上でき、しかも、ランプと電源線の電気的接続を中継する端子台が万が一異常な発熱状態となった場合の安全性を確保できる照明器具を提供する。【解決手段】シーリングダウンライト（照明器具）１は、設置板２、シャーシ１１、端子台１５、及びランプ２１を具備する。設置板２は難燃性である。この設置板２は、天井面（設置面）に固定されるとともに電源線引き込み部を有する。シャーシ１１も難燃性である。シャーシ１１を、設置板２に対し天井面から遠ざかる側に離間させてこの設置板２に連結する。端子台１５をシャーシ１１又は設置板２に固定して、これらシャーシ１１及び設置板２で端子台１５を覆う。ランプ２１を、シャーシ１１にこのシャーシ１１を境に設置板２と反対側にランプソケット１８を介して支持することを特徴としている。【選択図】図４
2011159469.tif 000002
【特許請求の範囲】
【請求項１】
電源線引き込み部を有し、かつ、設置面に固定される難燃性の設置板と；
この設置板に対し前記設置面から遠ざかる側に離間して前記設置板に連結された難燃性のシャーシと； 
このシャーシ又は前記設置板に固定されるとともに前記シャーシ及び設置板で覆われた端子台と；
前記シャーシにこのシャーシを境に前記設置板と反対側にランプソケットを介して支持されたランプと；
を具備することを特徴とする照明器具。
【請求項２】
前記電源線引き込み部が前記設置板の中央部に開口された通孔により形成され、この電源線引き込み部に正対する前記シャーシの中央部からずれて前記端子台が前記シャーシに固定されているとともに、前記電源線引き込み部側に位置する前記端子台の側面に、前記電源線が挿入される電線差込み孔が開口されていることを特徴とする請求項１に記載の照明器具。
【請求項３】
前記設置板及びシャーシが金属製であって、これらが金属製スペーサを介して連結されているとともに、前記シャーシの周縁と前記設置板の周縁部との間が全周にわたり開放されていることを特徴とする請求項１又は２に記載の照明器具。
【請求項４】
前記シャーシが前記電源線引き込み部に通された電源線と前記ランプとの隔壁をなしていることを特徴とする請求項３に記載の照明器具。
【発明の詳細な説明】
【技術分野】
【０００１】
本発明は、天井面等の設置面に直付けされる例えばシーリングダウンライト等の照明器具に関する。
【背景技術】
【０００２】
天井から引き込まれた電線が接続されるアダプタをねじで天井面に固定することにより、このアダプタの段差部と天井面との間に、ドーナツ型形状の面発光部に取付けられた略リング形状の外枠部を固定し、ＩＥＣ（国際電気標準会議）で規格化されたＧＸ５３型式口金を有したＧＸ５３型蛍光ランプをアダプタに取付け、面発光部の中空部（内周面）より蛍光ランプの照明光を取り入れて、面発光部を面発光させるようにした直付け型の照明器具が、従来技術として知られている（例えば、特許文献１参照。）。
【０００３】
この特許文献１に記載された照明器具のアダプタは、その上面を天井面に接して直付けされ、この上面に天井裏から引き込まれる配線が配置される配線溝を形成し、アダプタの下面に、直付けのためのねじが上向きに通されるねじ孔と、ＧＸ５３ソケット部の上向きの凸部が嵌め込まれる凹部が設けられている。そのため、アダプタはケース状をなしている。このアダプタ内に配置された一対の接続金具に、配線溝からアダプタ内に引き込まれた配線が電気的に接続されているとともに、接続金具にはＧＸ５３ソケット部に設けられた一対のピン電極が電気的に接続されるように構成されている。
【先行技術文献】
【特許文献】
【０００４】
【特許文献１】特開２００９−２９５４２５号公報（段落０００８−００３５、図１−図５）
【発明の概要】
【発明が解決しようとする課題】
【０００５】
前記従来技術によれば、アダプタを天井面にねじ止めする前に、このアダプタ内の接続金具に天井裏から引き込まれる配線を接続する必要がある。この接続作業は、天井側高所で行わなければならない。しかも、天井裏から引き込んだ配線をアダプタ内の接続金具に接続する場合に、アダプタ自体が邪魔になって接続金具を視認しつつ作業をすることができない。このため、特許文献１に記載の従来技術は、天井面等の設置面への照明器具の設置作業性が良くない、という課題がある。
【０００６】
したがって、本発明の目的は、設置面への設置作業性を向上でき、しかも、ランプと電源線の電気的接続を中継する端子台が万が一異常な発熱状態となった場合の安全性を確保できる照明器具を提供することにある。
【課題を解決するための手段】
【０００７】
前記課題を解決するために、請求項１の発明は、電源線引き込み部を有し、かつ、設置面に固定される難燃性の設置板と；この設置板に対し前記設置面から遠ざかる側に離間して前記設置板に連結された難燃性のシャーシと；このシャーシ又は前記設置板に固定されるとともに前記シャーシ及び設置板で覆われた端子台と；前記シャーシにこのシャーシを境に前記設置板と反対側にランプソケットを介して支持されたランプと；を具備することを特徴としている。
【０００８】
この発明で、電源線引き込み部は、例えば設置板に開口された通孔で形成することができ、或いは設置板の周縁に開放された溝で形成することもできる。この発明で、設置板及びシャーシは、一部に、凸部、切り起こし片、又は孔や切り欠き溝等が加工されていて略平板状をなして形成されていることが普通であるが、これらの加工部位を有さない平板で形成することも可能であるとともに、これら設置板及びシャーシをなす難燃性の材料としては、金属を好適に挙げることができるが、合成樹脂であっても差し支えない。この発明で、端子台は、それが固定されたシャーシ及び設置板のうちの一方に接しているが、他方に対して離れている状態であっても、或いは双方に接している状態、言い換えれば、端子台がシャーシと設置板とで挟まれた状態であっても差し支えない。この発明で、ランプには、ＬＥＤを発光素子として用いたＬＥＤランプ、白熱ランプ、蛍光ランプ等を用いることができる。又、この発明の照明器具は、天井面に設置されることに制約されず、床面、或いは天井と床とにわたる壁面等に設置することが可能であるとともに、この発明は、実施形態で説明するシーリングダウンライト以外の直付け型照明器具に適用できる。
【０００９】
請求項１の発明の照明器具を、天井面等の設置面に設置するには、まず、天井等などの設置部から引き込まれた電源線を設置板の電源線引き込み部に通した状態で、この設置板を天井面等の設置面に固定する。次に、設置板又はシャーシに固定された端子台に、電源線引き込み部に通された電源線を接続した後に、シャーシを設置板に連結して、これらシャーシを設置板と設置板間に端子台を配設する。この後、シャーシにランプを支持することで、設置面に照明器具を直付け設置することができる。
【００１０】
この照明器具によれば、設置作業において、端子台に電源線を接続する際、設置板及びシャーシが邪魔になり難いとともに、設置板又はシャーシに予め固定されている端子台及びこれに接続される電源線を視認しつつ、この電源線を端子台に接続できるので、設置面への設置作業性を向上できる。
【００１１】
更に、端子台が何らかの原因で異常に発熱する状態になる恐れが考えられている。しかし、端子台は難燃性の設置板とシャーシで覆われているので、前記のような異常な発熱状態になった場合でも、その熱が設置面やランプ等の周囲に波及してこの周囲にダメージを与えることを、設置板とシャーシにより防止できる。
【００１２】
請求項２の発明は、請求項１の発明において、前記電源線引き込み部が前記設置板の中央部に開口された通孔により形成され、この電源線引き込み部に正対する前記シャーシの中央部からずれて前記端子台が前記シャーシに固定されているとともに、前記電源線引き込み部側に位置する前記端子台の側面に、前記電源線が挿入される電線差込み孔が開口されていることを特徴としている。
【００１３】
この請求項２の発明では、通孔からなる電源線引き込み部に通された電源線を曲げて、端子台の側面に開口された電線差込み孔に挿入することができる。この場合、電源線の先端部（端子台側端部）を略Ｌ字形状に曲げれば良く、この端子台側端部が自由状態に戻ろうとする作用が弱い。そのため、端子台に電源線を容易に接続できるに伴い、照明器具の設置作業性をより向上することができる。
【００１４】
請求項３の発明は、請求項１又は２の発明において、前記設置板及びシャーシが金属製であって、これらが金属製スペーサを介して連結されているとともに、前記シャーシの周縁と前記設置板の周縁部との間が全周にわたり開放されていることを特徴としている。
【００１５】
この請求項３の発明では、ランプが点灯中に発する熱を、シャーシに逃がすことができるとともに、このシャーシからスペーサを経由させて設置板にも逃がすことができる。しかも、これら設置板とシャーシとの間が全周にわたり開放されているので、設置板とシャーシの熱をこれら設置板とシャーシとの間を流通する空気中に放出できる。したがって、ランプの温度過昇を抑制できる。
【００１６】
請求項４の発明は、請求項３の発明において、前記シャーシが前記電源線引き込み部に通された電源線と前記ランプソケットとの隔壁をなしていることを特徴としている。
【００１７】
この請求項４の発明では、設置板とシャーシとの間に引き込まれた電源線の端子台側端部が、点灯中発熱するランプの熱で加熱されて高温となるランプソケットに直接触れることがシャーシで妨げられる。そのため、電源線の端子台側端部の絶縁被覆が、電気用品取締法で定められた耐熱温度を超えて異常に過熱されることを抑制できる。
【発明の効果】
【００１８】
請求項１の発明によれば、設置面への設置作業性を向上でき、しかも、ランプと電源線の電気的接続を中継する端子台が万が一異常な発熱状態となった場合の安全性を確保できる、という効果がある。
【００１９】
請求項２の発明によれば、請求項１の発明において、更に、端子台に電源線を容易に続作業できるに伴い、照明器具の設置作業性をより向上できる、という効果がある。
【００２０】
請求項３の発明によれば、請求項１又は２の発明において、更に、ランプの温度過昇を抑制できる、という効果がある。
【００２１】
請求項４の発明によれば、請求項３の発明において、更に、設置板とシャーシとの間に引き込まれた電源線の端子台側端部の絶縁被覆が、異常に過熱されることを抑制できる、という効果がある。
【図面の簡単な説明】
【００２２】
【図１】本発明の一実施形態に係るシーリングダウンライトを斜め下側から視認した状態で示す斜視図である。
【図２】一実施形態に係るシーリングダウンライトを斜め上側から視認した状態で示す斜視図である。
【図３】一実施形態に係るシーリングダウンライトを示す断面図である。
【図４】一実施形態に係るシーリングダウンライトの照明カバーとその内側に配設されるアセンブリを分離した状態で示す斜視図である。
【図５】一実施形態に係るシーリングダウンライトの照明カバー内に配設されるアセンブリを示す側面図である。
【発明を実施するための形態】
【００２３】
以下、本発明の一実施形態について、図１〜図５を参照して詳細に説明する。
【００２４】
図１〜図３中符号１は直付け型の照明器具例えばシーリングダウンライトを示している。このシーリングダウンライト１は、設置板２と、シャーシ１１と、端子台１５と、ランプソケット１８と、ランプ２１と、照明カバー３１等を具備している。
【００２５】
設置板２は、難燃性材料例えば金属製具体的には鉄板であり、耐熱性も有している。図２に示すように設置板２の外形形状は、その周部に複数の切り欠き溝３ａを有しているものの略円形である。この設置板２はその周部に図２及び図４等に示すように複数の切り起こし片３ｂを有している。各切り起こし片３ｂは、設置面例えば建物の屋内の天井面Ｃ（図３及び図５参照）に接して、この天井面Ｃから設置板２を所定距離隔てるために、設置板２の裏側（図４及び図５では上側）に折り曲げられている。
【００２６】
設置板２の中央部に、例えば円形の通孔からなる電源線引き込み部４（図３参照）が開口されているとともに、この電源線引き込み部４に嵌合してリング形の電源ブッシュ５が取付けられている。
【００２７】
図２及び図４に示すように設置板２には、電源線引き込み部４を間に置いて一対のねじ止め凸部６，７が、設置板２の裏側に突出して設けられている。一方のねじ止め部６は略だるま孔状の固定孔６ａを有している。他方のねじ止め部７は、一対の固定孔７ａ，７ｂを有している。
【００２８】
設置板２は、その正面側（図では下側）から固定孔６ａを通って天井面Ｃにねじ込まれる図示しない取付けねじ、及び固定孔７ａ，７ｂのうちの一方を設置板２の正面側（図では下側）から通って天井面Ｃにねじ込まれる挿入される図示しない他の取付けねじにより、天井面Ｃに固定されるようになっている。
【００２９】
図３〜図５に示すように設置板２にはその正面側に突出する複数例えば二本のスペーサ８が金属製の固定ねじ９で取付けられている。すなわち、スペーサ８は外周が多角形をなした金属製のパイプからなる。これとともに、設置板２にはスペーサ８の一端部（図では上端部）の形状に見合う多角形の凹みを形成してスペーサ受け部２ａが設けられている。このスペーサ受け部２ａにスペーサ８の一端部が嵌合された状態で、固定ねじ９がスペーサ受け部２ａを貫通してスペーサ８にねじ込まれている。それにより、スペーサ８が設置板２に対して回り止めされた状態に固定されて、設置板２の正面側に突出されている。
【００３０】
シャーシ１１は、難燃性材料例えば金属製具体的には鉄板であり、耐熱性も有している。このシャーシ１１は、図４に示すように例えば設置板２より小径な平らな円板からなる。このシャーシ１１は設置板２に連結されて、天井面Ｃに対して設置板２より遠ざかる側具体的には設置板２の正面側に離間対向して配設されている。
【００３１】
この連結のために、シャーシ１１の周部に一対の略だるま形状の連結孔１２（図４参照）が開けられている。前記各スペーサ８の他端部（図では下端部）に金属製の座金付きの連結ねじ１３（図３参照）が夫々上向きにねじ込まれている。これらの連結ねじ１３を用いた連結作業は以下の手順でなされる。
【００３２】
まず、両連結ねじ１３が完全にねじ込まれていない状態で、これら連結ねじ１３の頭部を、連結孔１２の大径孔部に通した後、連結孔１２の小幅孔部に連結ねじ１３のねじ軸部が通るようにシャーシ１１を回動させる。これにより、シャーシ１１が両連結ねじ１３の頭部に引っ掛かって落下しないように仮保持されるとともに、連結孔１２の小幅孔部の縁部にスペーサ８の下端面（先端面）が対向した状態で近接される。次に、各連結ねじ１３を夫々締め付け方向に回転することにより、両スペーサ８の下端部にシャーシ１１が固定される。この場合、既述のようにスペーサ８がスペーサ受け部２ａに嵌合されていることにより、連結ねじ１３のねじ込みに伴って、スペーサ８が回転されることはない。
【００３３】
こうした連結によりシャーシ１１は設置板２と略平行に配設される。この状態で、シャーシ１１の周縁と設置板２の周縁部との間は、これら設置板２、シャーシ１１、及びスペーサ８を備えてなる器具本体の全周にわたり開放されている（図４参照）。又、シャーシ１１の中央部には孔等がなく閉じた状態にある。それにより、このシャーシ１１は後述する電源線の引き込み部位とランプソケット１８との間の隔壁となっている。
【００３４】
端子台１５は、後述の電源線をランプ２１に中継するために用いられていて、図３〜図５に示すように設置板２とシャーシ１１との間に配設されている。具体的には、設置板２とシャーシ１１のうちの一方、好ましくはシャーシ１１に接してねじ止め等で固定されている。端子台１５は、その厚み方向両側を設置板２とシャーシ１１とで覆われていて、設置板２から離れている。
【００３５】
端子台１５のシャーシ１１への固定位置は、設置板２の電源線引き込み部４に正対するシャーシ１１の中央部からずれている。端子台１５は電線差込み孔１６を有している。この電線差込み孔１６は、電源線引き込み部４側に位置された端子台１５の側面に開口されている。ここで、電源線引き込み部４側の側面とは、端子台１５の周面をなして互いに連続した例えば四つの側面のうちで、電源線引き込み部４に最も近い位置の側面を指している。そのため、電線差込み孔１６が開口された前記側面と電源線引き込み部４とは、図４では斜め上下に対向し合っている。端子台１５には、電線差込み孔１６に挿入された絶縁被覆電線の芯線を電気的かつ機械的に接続するための速結端子（図示しない）が内蔵されている。
【００３６】
ランプソケット１８は、シャーシ１１の正面（図では下面）に図示しないねじを用いて固定されている。ランプソケット１８はＩＥＣ規格に適合するＧ５３形式の口金１９（図３参照）を有している。この口金１９にＩＥＣ規格に適合するＧ５３形式のランプ２１が取付けられている。
【００３７】
ランプ２１は、図３に示すようにランプベース２２と、金属基板２３と、例えば複数の発光部２４と、反射体２５と、ランプカバー２６等を備えている。
【００３８】
ランプベース２２はアルミダイキャスト製で、その周部に放熱フィン２２ａを有している。金属基板２３は、例えばアルミニウムのベース層とこれに積層された絶縁層とからなり、そのベース層をランプベース２２に密接させてこのランプベース２２に固定されている。
【００３９】
各発光部２４は、前記絶縁層上に実装された複数のＬＥＤ（発光ダイオード）チップと、これらのチップを封止した蛍光体入りの封止部材とを有している。これら発光部２４は、そのＬＥＤチップと蛍光体との組み合わせによって、ＬＥＤチップの発光色とこの光で励起された蛍光体が発した発光色が混じって所望の光色を発光できるが、例えば白色発光するものを使用することが好ましい。ランプ２１が点灯された状態では各発光部２４が発光し、それに伴い各ＬＥＤチップは発熱するが、この熱は金属基板２３を経由してランプベース２２に伝わり、このランプベース２２周部の放熱フィン２２ａ及び後述の器具本体から大気中に放出されるようになっている。
【００４０】
反射体２５は、金属基板２３を覆ってランプベース２２にねじ止めされている。この反射体２５は、樹脂成形品であって、各発光部２４に対してその光出射側に個別に連続する複数の反射鏡部２５ａを有していて、これら反射鏡部２５ａによりビーム角等が制御されている。ランプカバー２６は、拡散透光性の合成樹脂製であって、反射体２５を光出射側から覆ってランプベース２２に取付けられている。ランプカバー２６はランプ２１としては必須ではなく省略することができる。
【００４１】
なお、図３中符号２０はランプソケット１８に取付けられた一対の電極ピンを示している。これらの電極ピン２０と端子台１５内の速結端子とは、これらにわたって配線された図示しない絶縁被覆電線で電気的に接続されている。更に、電極ピン２０には、ランプソケット１８にランプ２１が取付けられるに伴って、このランプ２１の図示しない受電端子が接して、この受電端子と電極ピン２０が電気的に接続されるようになっている。又、受電端子は金属基板２３の絶縁層上に設けられた図示しない配線パターンの端子部に接続されていて、それにより、ランプ２１への給電が可能となっている。
【００４２】
照明カバー３１は、透光性材料好ましくは拡散透光性の合成樹脂製であり、軸方向両端が夫々開放された円筒形をなしている。この照明カバー３１はその設置面側開口縁部（図では上端開口縁部）の内周面に複数の係合凸部３２（図４等参照）を有している。
【００４３】
照明カバー３１は、その係合凸部３２が設置板２の裏側に位置されるように天井面Ｃにねじ止めされた設置板２の各切り欠き溝３ａに通した後、これら係合凸部３２が切り起こし片３ｂに当たるまで照明カバー３１を周方向に回動させることにより、切り欠き溝３ａと切り起こし片３ｂとで挟まれた設置板２の周部部位３ｃ（図２参照）の裏面に係合凸部３２を引っ掛けて、設置板２に取付けられている。この照明カバー３１により、設置板２、シャーシ１１、ランプソケット１８、及びランプ２１を備えてなるアセンブリが覆われており、ランプ２１のランプカバー２６は図１に示すように照明カバー３１の光出射側開口（図では下端開口）３３に対向している。
【００４４】
前記構成のシーリングダウンライト１を設置面である天井面Ｃに設置する手順を説明する。
【００４５】
まず、一対のスペーサ８が予め固定ねじ９でねじ止めされているとともに、これらスペーサ８の下端に連結ねじ１３が夫々ねじ込まれている設置板２を用意し、この設置板２の通孔からなる電源線引き込み部４に、天井裏から引き込まれた電源線（図示しない）を通し、この状態で、設置板２を天井面Ｃに固定する。この固定作業は、既述の通り、設置板２の下側から固定孔７ａ，７ｂのうちの一方と固定孔６ａに取付けねじを通して、これらのねじを天井面Ｃにねじ込むことで行われ、それにより、設置板２が天井面Ｃにこの面の一部を覆って固定される。
【００４６】
次に、予め端子台１５が取付けられたシャーシ１１を設置板２に寄せるとともに、この状態で電源線の先端部を端子台１５の電線差込み孔１６に挿入して、電源線と端子台１５を接続する。この場合、設置板２及びシャーシ１１が邪魔になり難いとともに、端子台１５及びこれに接続される電源線を視認しつつ、この電源線を端子台１５に接続できるので、設置作業性を向上できる。
【００４７】
しかも、前記接続に際し、電源線の先端部を略Ｌ字形状に曲げて、端子台１５の側面に開口された電線差込み孔１６に挿入することができるので、電源線の先端部（端子台側端部）が自由状態に戻ろうとする作用が弱い。こうした電源線の曲げとその挿入方向を図５中二点鎖線の矢印で概念的に示す。そのため、端子台１５に電源線をより容易に接続できるに伴い、シーリングダウンライト１の天井面Ｃヘの設置作業性をより向上することができる。
【００４８】
なお、これに対して、端子台１５が設置板２に固定されている場合には、電源線の端子台側端部を略Ｕ字形状に曲げる必要があり、こうして曲げられた状態では自由状態に戻ろうとする復元力が強い。そのため、略Ｕ字形状に曲げられた端子台側端部が自由状態に戻らないように、前記略Ｕ字形状に曲げた状態を保持しつつ、端子台１５への接続作業を行わなければならないので、作業上性がよくない。
【００４９】
電源線の接続後、この電源線の余剰引き出し部を天井裏に押し戻しつつ、シャーシ１１が有した一対の連結孔１２に連結ねじ１３を夫々挿通させてから、シャーシ１１を回動させることにより、このシャーシ１１を連結ねじ１３に仮に保持させる。この後、夫々の連結ねじ１３をねじ込んで、一対のスペーサ８を設置板２との間に挟持する。これにより、スペーサ８を介してシャーシ１１から設置板２への熱伝導が可能な状態に、シャーシ１１が設置板２に連結されるとともに、シャーシ１１と設置板２との間に端子台１５が配設される。こうして器具本体が組立てられる。
【００５０】
この組立てが完了された状態で、器具本体の全周、つまり、設置板２の周部とシャーシ１１の周縁との間が全周にわたり開放されているので、必要により、設置板２とシャーシ１１との間に手指等を差し入れることが可能である。そのため、器具本体が組立てられた状態で天井裏から引き込まれた端子台１５に接続された電源線の端子台側端部が、シャーシ１１に接している場合は、電源線の端子台側端部を押し上げて、この部位がシャーシ１１に接しないようにすることができる。
【００５１】
この後、シャーシ１１の下側にランプソケット１８がねじ止めされるとともに、このランプソケット１８と端子台１５とが図示しない電線を用いて電気的に接続される。その上で、ランプソケット１８にランプ２１が光出射側（図では下側）から取付けられる。こうして、照明カバー３１以外の各部品からなるアセンブリが天井面Ｃに直付け設置される。
【００５２】
最後に、前記各部品を覆う照明カバー３１を、既述の取付け手順で設置板２に取付けることにより、シーリングダウンライト１の天井面Ｃヘの全ての取付け作業が完了する。こうして天井面Ｃに直付けされた状態を図３に示す。
【００５３】
このシーリングダウンライト１の点灯中、ランプ２１の各発光部２４が有したＬＥＤチップは発熱する。この熱は、ランプ２１の金属基板２３を経由してランプベース２２に伝導され、その放熱フィン２２ａから外部に放出される。これとともに、ランプベース２２に伝わった熱の一部は、ランプソケット１８を介して金属製のシャーシ１１に伝導された後、金属製のスペーサ８を経由して金属製の設置板２に伝導される。こうして各発光部２４が発した熱の一部を、シャーシ１１、スペーサ８、及び設置板２に逃がして、これらから外部に放出できる。
【００５４】
そして、シャーシ１１の周縁と設置板２の周縁部との間は全周にわたり開放されているとともに、照明カバー３１の光出射側開口３３により照明カバー３１の下端が開口されているので、この照明カバー３１の内外に渡る外気の対流が可能である。そのため、ランプベース２２の放熱フィン２２ａ、シャーシ１１、スペーサ８、及び設置板２から放出される熱を、ランプベース２２の周囲及び設置板２とシャーシ１１との間を流通する空気中に放出できる。
【００５５】
したがって、ランプ２１の発光部２４の温度過昇を抑制できる。それに伴い、ＬＥＤチップの発光性能を維持することができるとともに、各発光部２４での色むらの発生を抑制できる。
【００５６】
更に、シャーシ１１は器具本体内に引き込まれて端子台１５に接続された電源線の端子台側端部とランプソケット１８との隔壁をなしているので、点灯したランプ２１で加熱され高温となるランプソケット１８に、電源線の端子台側端部が直接触れることを、シャーシ１１で妨げることができる。そのため、電源線の端子台側端部の絶縁被覆（通常、塩化ビニル製である。）が、電気用品取締法で定められた耐熱温度（前記材質の場合６０℃）を超えて異常に過熱されないようにできる。
【００５７】
又、天井面Ｃに直付けされたシーリングダウンライト１の点灯中、その端子台１５が何らかの原因で異常に発熱する状態になる恐れが考えられている。この原因の一つとしては、電源線の端子台１５への接続不良により過電流が流れる場合、又は、天井裏に結露した水滴が電源線を伝って端子台１５内に浸入することに伴うトラッキングにより、過大な短絡電流が流れる場合などが考えられている。
【００５８】
しかし、端子台１５は難燃性の設置板２とシャーシ１１で上下両側から覆われている。そのため、前記のように端子台１５が異常発熱する状態になった場合でも、その熱が天井面Ｃやランプソケット１８及びランプ２１等の周囲に波及することを、設置板２とシャーシ１１により防止できる。したがって、端子台１５の異常発熱が周囲にダメージを与えることが抑制されて、周囲の安全性を確保できる。
【符号の説明】
【００５９】
１…シーリングダウンライト（照明器具）、２…設置板、Ｃ…天井面（設置面）、４…電源線引き込み部、８…スペーサ、１１…シャーシ、１５…端子台、１８…ランプソケット、２１…ランプ
【図１】
2011159469.tif 000003
【図２】
2011159469.tif 000004
【図３】
2011159469.tif 000005
【図４】
2011159469.tif 000006
【図５】
2011159469.tif 000007